(57)【特許請求の範囲】
【請求項１】
アウタパネルとインナパネルとが異種金属材で構成された車両用ドアであって、
上記アウタパネルの下端部が上記インナパネルの下端部を覆うように車室内側に折り返すヘミング加工が施されるとともに、該折返し部位において上記アウタパネルと上記インナパネルとの間には接着剤が設けられており、
上記アウタパネルの車室内側に折り返された折返し部は、上記インナパネルから離反する方向に傾斜して上方に延びるアウタパネルの第一傾斜部と、該第一傾斜部に続いて上記インナパネル側に向かって傾斜して上方に延びるアウタパネルの第二傾斜部とを備えるとともに、上記インナパネルに対向する上記アウタパネルの第一傾斜部と第二傾斜部とが成す角度が鈍角であり、
上記インナパネルは、上記アウタパネルの折返し部で覆われた下端部に続いて、上記アウタパネルのドア外面を形成する本体部から離反する方向に傾斜して上方へ延びる傾斜部と、該傾斜部に続いて上方へ延びる上方延設部とを備え、
上記アウタパネルの第二傾斜部は上記インナパネルの傾斜部に向かって延びており、
上記インナパネルの上方延設部は、上記アウタパネルの本体部に向かって傾斜して延び、
上記インナパネルの上方延設部の車室内側表面と上記アウタパネルの第二傾斜部の車室内側表面とが同一平面上にあり、
上記アウタパネルの本体部に対向する上記インナパネルの傾斜部と上方延設部とが成す角度が鈍角であり、
上記アウタパネルの本体部と上記インナパネルの傾斜部および上方延設部とによって、外側接着剤溜りが形成され、
上記アウタパネルの第一傾斜部および第二傾斜部と、上記インナパネルとで形成される隙間が内側接着剤溜りとされており、
上記アウタパネルの第二傾斜部の上端部と、上記インナパネルの傾斜部と、上記インナパネルの上方延設部とに跨るようにシーラが塗布されている
ことを特徴とする車両用ドア。
【請求項２】
請求項１に記載の車両用ドアにおいて、
上記接着剤にはビーズが含有され、上記アウタパネルのドア外面を形成するアウタパネ
ルの本体部と上記インナパネルとの対向面間に上記ビーズが介在している
ことを特徴とする車両用ドア。
【請求項３】
請求項１又は請求項２に記載の車両用ドアにおいて、
上記アウタパネルは軽合金材で形成され、上記インナパネルは鋼材で形成されている
ことを特徴とする車両用ドア。
【発明の詳細な説明】
【技術分野】
【０００１】
本発明は、アウタパネルとインナパネルとを備えてなる車両用ドアに関するものである。
【背景技術】
【０００２】
自動車による環境負荷を低減する方法としては、駆動源であるエンジンを低燃費化すること、モータとエンジンとを併用すること、および電気自動車とすることなどが考えられるが、車両の軽量化も燃費低減、ひいては環境負荷低減への寄与度が大きい。そこで、車体鋼板材料の高張力化による薄板化、軽合金材であるアルミニウム合金材の適用や、樹脂材料の適用などが検討されている。
【０００３】
一方、自動車は高い安全性能が求められるところ、フレームなどの骨格部品は鋼材で、パネル部品はアルミニウム合金材や樹脂材、またはインナとアウタとの組み合わせからなる部品、例えば、ドア、ボンネット、トランクリッドなどのクロージャ部品では鋼材とアルミニウム合金材または樹脂材とを組み合わせることが考えられ、インナパネルとアウタパネルとが互いに異なる材料で構成される場合がある。
【０００４】
このうち、車両用ドアにおいてアウタパネルとインナパネルとを異種金属材で構成する場合、ドア下端部には雨水や洗車時の水が一時的に溜まることに起因して電池回路が形成される。そうして、電気的に接続する二種類の材料のうち、腐食電位が卑なる材料が用いられたパネルがプラス側となり、プラス側の材料の表面がイオン化して腐食しやすくなる、すなわち、電食を起こしやすくなることが知られている。そこで、異種金属の材料からなる部材を組み付ける場合には、異種金属同士の接触による電食を防止するために、互いに絶縁させて電気的に接続させないようにし、電食が起こりにくい構造とする配慮が望まれる。
【０００５】
例えば、特許文献１では、図５に示されるように、車外側に配設されるアウタパネル１０２と、車内側に配設されるインナパネル１０３とを有し、アウタパネル１０２にヘミング加工を施すことでインナパネル１０３の周縁部１３１を結合する折返し部１２１を備えた車両のドア構造において、折返し部１２１に隣接して形成され、アウタパネル１０２とインナパネル１０３との間隙に接着剤１０５が充填される溜り形状部１０８が設けられる構造が記載されている。具体的には、溜り形状部１０８は、アウタパネル１０２と、インナパネル１０３に形成され、周縁部１３１から連続して形成されるとともに車外に対して離反した方向に延出される第一離反部１３６から構成されている。そして、インナパネル１０３は、第一離反部１３６から連続して形成されるとともに略鉛直方向に漸近させて形成される第二離反部１３７をさらに有する。
【０００６】
また、異種金属を用いるとは記載されていないが、特許文献２では、アウタパネルにヘミング加工を施すことでインナパネルの周縁部を結合するヘミング加工部を備えた車両のドア構造において、ヘミング加工部よりも上方部のインナパネルを車室内側に突出させ、またはアウタパネルを車室外側に突出させて、アウタパネルとインナパネルとの間に車両前後方向に延出した閉断面部を形成し、該閉断面部内に発泡性シール材を充填したドア構造が開示されている。
【先行技術文献】
【特許文献】
【０００７】
【特許文献１】特開２００９−３５１７８号公報
【特許文献２】実開昭６０−１３６２１８号公報
【発明の概要】
【発明が解決しようとする課題】
【０００８】
電食対策として有効な方法は、例えば、軽合金材と鋼板材との間に接着剤をシール材として介在させることである。しかし、通常、接着剤には比較的高粘性な非水溶性有機化合物が用いられており、このような接着剤を電食が発生しやすい部分に全面にわたって塗布してアウタパネルをヘミング加工すると、接着剤の一部がはみ出してしまい、この状態で、水洗（シャワー）工程に入るとはみ出した接着剤はその水圧で飛び散る。この飛び散りは外観を損ねるばかりでなく、これを拭き取るにしても比較的高粘性であること、非水溶性であることなどから生産性が大きく低下する。また、ヘミング加工用治具や装置の一部にもはみ出した接着剤が付着するので、次第にヘミング加工の精度が低下する問題も生じる。
【０００９】
この点について、特許文献１では、インナパネルの下端部を覆うように車室内側に折り返したアウタパネルの折返し部上端から接着剤がはみ出すという問題がある。そこで、特許文献２に記載されている閉断面構造を採用し、その閉断面内部を接着剤溜りとすることも考えられるが、接着剤の塗布量、塗布位置は一定ではないため、接着剤が閉断面内部に充填されない、あるいは閉断面からはみ出すという問題は解決し得ない。
【００１０】
さらに、図５に示されるように、特許文献１の車両用ドアに、インナパネル１０３下端部とヘミング加工されたアウタパネル１０２上端部とをシールするシーラ１０６を塗布すると、塗布面には折返し部１２１と車室内側に延びる第一離反部１３６との段差のためにシーラの表面が平坦にならずいびつな形状になる。また、特許文献２の車両用ドアにも同様にシーラを塗布すると、同様の段差に起因してシーラがいびつな形状になる。その結果、シーラの見映えが悪くなる。
【００１１】
本発明は、インナパネルとアウタパネルとが異種金属材で構成された車両用ドアにおいて、その端部における電食の抑制、並びに接着剤のはみ出しを確実に防止することによる生産性の向上を課題とする。また、本発明の別の課題は、インナパネルの下端部とヘミング加工されたアウタパネルの上端部とをシールするシーラの見映えの向上を図ることにある。
【課題を解決するための手段】
【００１２】
本発明は上記課題を解決するために、アウタパネルのヘミング加工による折返し部とインナパネルとの間に上下方向に長い（深い）幅狭の接着剤溜りを設けることによって、接着剤のはみ出しを防止し、かつアウタパネルとインナパネル（以下、両パネルという）との間での電食を抑制するようにしたものである。
【００１３】
請求項１の発明は、アウタパネルとインナパネルとが異種金属材で構成された車両用ドアであって、上記アウタパネルの下端部が上記インナパネルの下端部を覆うように車室内側に折り返すヘミング加工が施されるとともに、該折返し部位において上記アウタパネルと上記インナパネルとの間には接着剤が設けられており、上記アウタパネルの車室内側に折り返された折返し部は、上記インナパネルから離反する方向に傾斜して上方に延びるアウタパネルの第一傾斜部と、該第一傾斜部に続いて上記インナパネル側に向かって傾斜して上方に延びるアウタパネルの第二傾斜部とを備えるとともに、上記インナパネルに対向する上記アウタパネルの第一傾斜部と第二傾斜部とが成す角度が鈍角であり、上記インナパネルは、上記アウタパネルの折返し部で覆われた下端部に続いて、上記アウタパネルのドア外面を形成する本体部から離反する方向に傾斜して上方へ延びる傾斜部と、該傾斜部に続いて上方へ延びる上方延設部とを備え、上記アウタパネルの第二傾斜部は上記インナパネルの傾斜部に向かって延びており、上記インナパネルの上方延設部は、上記アウタパネルの本体部に向かって傾斜して延び、上記インナパネルの上方延設部の車室内側表面と上記アウタパネルの第二傾斜部の車室内側表面とが同一平面上にあり、上記アウタパネルの本体部に対向する上記インナパネルの傾斜部と上方延設部とが成す角度が鈍角であり、上記アウタパネルの本体部と上記インナパネルの傾斜部および上方延設部とによって、外側接着剤溜りが形成され、上記アウタパネルの第一傾斜部および第二傾斜部と、上記インナパネルとで形成される隙間が内側接着剤溜りとされており、上記アウタパネルの第二傾斜部の上端部と、上記インナパネルの傾斜部と、上記インナパネルの上方延設部とに跨るようにシーラが塗布されているものである。
【００１４】
内側接着剤溜りを形成するアウタパネルの第一傾斜部と第二傾斜部とが成す角度が鈍角であるため、インナパネルの下端部とアウタパネルの第一傾斜部とが成す角度、およびインナパネルの下端部とアウタパネルの第二傾斜部とが成す角度が鋭角となるので、接着剤溜りは幅狭で上下方向に延びた形になる。したがって、インナパネルの下端からインナパネルとアウタパネルの折返し部との間にはみ出した接着剤を、内側接着剤溜りに受け入れて、両パネルの間を高さ方向において十分にシールでき、その結果、折返し部上端からの接着剤のはみ出しを防止しつつ、両パネルの接着強度の強化を図るとともに、両パネルの電食を抑制することができる。
【００１５】
ところで、シーラをアウタパネルの折返し部とインナパネルとに跨るように塗布する場合にインナパネルが単に上方へ延びているだけであれば、ヘミング加工されたアウタパネルの折返し部の上端部は、少なくともアウタパネルの厚さの分だけインナパネルよりも車室内側に位置することになる。そのため、アウタパネルの上端部と傾斜部を設けていないインナパネルとに跨るようにシーラを塗布すると、シーラに段差が生じてしまい、シーラの表面が平坦な形状になるように塗布することが困難である。
【００１６】
そこで、インナパネルは、アウタパネルの折返し部で覆われた下端部に続いて、アウタパネルのドア外面を形成するアウタパネルの本体部から離反する方向に傾斜して上方へ延びる傾斜部と、該傾斜部に続いて上方へ延びる上方延設部とを備え、アウタパネルの第二傾斜部はインナパネルの傾斜部に向かって延びている。
【００１７】
また、インナパネルの上方延設部は、アウタパネルの本体部に向かって傾斜して延び、インナパネルの上方延設部とアウタパネルの第二傾斜部とが同一平面上にあり、アウタパネルの本体部に対向するインナパネルの傾斜部と上方延設部とが成す角度が鈍角である。
【００１８】
上方延設部を上述の如く構成することにより、上記内側接着剤溜りと同様に、インナパネルの傾斜部および上方延設部と、アウタパネルの本体部とによって、幅狭で上下方向に延びた外側接着剤溜りが形成され、インナパネルの下端部とアウタパネルの本体部との対向面間からはみ出した接着剤は、内側接着剤溜りと同様に外側接着剤溜り内に受け入れられる。よって、幅狭で上下方向に延びた形である外側接着剤溜りにおいて両パネルの間を高さ方向において十分にシールでき、両パネルの電食を抑制することができる。さらに、外側接着剤溜りを形成することによって、接着剤の塗布ムラにかかわらず、接着剤のはみ出しを防止することができる。
【００１９】
また、上述の如く、インナパネルの上方延設部の車室内側表面とアウタパネルの第二傾斜部の車室内側表面とを同一平面上に設けたことによって、シーラをその表面に段差を生じることなく平坦な形状に塗布することが容易になり、見映えを向上させることができる。
【００２０】
接着剤にはビーズが含有され、アウタパネルの本体部とインナパネルとの対向面間にビーズが介在しているのが好ましい。ビーズを含有した接着剤を用いることにより、ヘミング加工時にアウタパネルとインナパネルとの両パネルにビーズを食い込ませ、それによって、両パネルがずれないように相互に機械的に固定でき、塗装工程での両パネルの熱変形を抑制することができる。
【００２１】
アウタパネルは軽合金材で形成され、インナパネルは鋼材で形成されているのが好ましい。
【発明の効果】
【００２２】
本発明では、アウタパネルの本体部とインナパネルの傾斜部および上方延設部とによって外側接着剤溜りを形成し、アウタパネルの第一傾斜部および第二傾斜部とインナパネルとによって内側接着剤溜りを形成したから、接着剤のはみ出しを防止することができる。また、本発明では、アウタパネルの第二傾斜部をインナパネルの傾斜部に向かって傾斜させ、インナパネルの上方延設部をアウタパネルの本体部に向かって傾斜させて、インナパネルの上方延設部の車室内側表面とアウタパネルの第二傾斜部の車室内側表面とを同一平面上に設け、この同一平面になったアウタパネルの第二傾斜部の上端部からインナパネルの上方延設部とに跨るようにシーラを塗布するようにしたから、シーラを平坦な形状に塗布することができ、シーラの見映えが向上する。
【図面の簡単な説明】
【００２３】
【図１】本発明に係る車両用ドアの断面図である。
【図２】図１のＡ部の拡大図である。
【図３】図１のＡ部の参考形態を示す拡大図である。
【図４】図１のＡ部のさらに別の参考形態を示す拡大図である。
【図５】従来の車両用ドアの下端部の断面図である。
【発明を実施するための形態】
【００２４】
以下、本発明を実施するための形態を図面に基づいて説明する。以下の好ましい実施形態の説明は、本質的に例示に過ぎず、本発明、その適用物或いはその用途を制限することを意図するものではない。
【００２５】
図１は車両用ドアのドア厚さ方向の断面図である。図１に示されるように、ドアパネル１は、車両の車外側に配設されるアウタパネル２と、車内側に配設されるインナパネル３とを備えており、アウタパネル２とインナパネル３とは異種金属材で形成されている。インナパネル３には、アウタパネル２およびインナパネル３の両パネルの間から水抜きをする排水孔４が形成されている。
【００２６】
図２は図１の車両用ドアの下端部であるＡ部の拡大図である。アウタパネル２の下端部には、ヘミング加工を施すことによって、インナパネル３の下端部を覆うように車室内側に折り返された折返し部２１が設けられている。そして、両パネルの間には接着剤５が充填され、さらに、折返し部２１の上端部にシーラ６が塗布されている。
【００２７】
アウタパネル２は、アルミニウム合金で形成されており、ドア外面を形成するアウタパネル本体部２２と、上述のヘミング加工による折返し部２１とを有する。折返し部２１は、アウタパネル２の下端のコーナー部に続いて、インナパネル３の下端部に沿って立ち上がった立上り部２１ａと、立上り部２１ａに続いてインナパネル３の下端部内面から離反する方向に傾斜して上方に延設されたアウタパネル第一傾斜部２１ｂと、アウタパネル第一傾斜部２１ｂに続いてインナパネル３の下端部内面に向かって傾斜して上方に延設されたアウタパネル第二傾斜部２１ｃとからなる。
【００２８】
インナパネル３は、鋼材で形成されており、アウタパネル本体部２２と折返し部２１とに挟み込まれているインナパネル下端部３１と、インナパネル下端部３１に続くインナパネル傾斜部３２と、インナパネル傾斜部３２に続くインナパネル上方延設部３３と、インナパネル上方延設部３３に続く湾曲部３４とを有する。インナパネル傾斜部３２は、アウタパネル第二傾斜部２１ｃの上端よりも上方において、インナパネル下端部３１から上方に向かってアウタパネル本体部２２から離反する方向に傾斜して延出されている。インナパネル上方延設部３３は、アウタパネル第二傾斜部２１ｃと同一平面状となるように、インナパネル傾斜部３２から上方に向かってアウタパネル本体部２２側に傾斜して延出されている。湾曲部３４は、インナパネル上方延設部３３から上方に向かってアウタパネル本体部２２から離反する方向に湾曲して車室内側へ延びている。以上により、内側接着剤溜り７は、折返し部２１とインナパネル３との間に形成されており、また、外側接着剤溜り８は、アウタパネル本体部２２とインナパネル３との間に形成されている。
【００２９】
内側接着剤溜り７は、インナパネル下端部３１と、アウタパネル第一傾斜部２１ｂおよびアウタパネル第二傾斜部２１ｃとで形成される隙間である。また、内側接着剤溜り７は、図２に示されるように、インナパネル下端部３１のインナ面（車室内側表面）をＣ１、アウタパネル第一傾斜部２１ｂのアウタ面（車室外側表面）をＣ２、アウタパネル第二傾斜部２１ｃのアウタ面をＣ３とすると、インナ面Ｃ１、アウタ面Ｃ２、およびアウタ面Ｃ３で形成される三角形Ｂ１（図面には符号なし）において、アウタ面Ｃ２とアウタ面Ｃ３とが成す角度θ１は鈍角となるように形成されている。
【００３０】
外側接着剤溜り８は、アウタパネル本体部２２と、インナパネル傾斜部３２およびインナパネル上方延設部３３とで形成される隙間である。外側接着剤溜り８は、図２に示されるように、アウタパネル本体部２２のインナ面をＣ４、インナパネル傾斜部３２のアウタ面をＣ５、インナパネル上方延設部３３のアウタ面をＣ６とすると、インナ面Ｃ４、アウタ面Ｃ５、およびアウタ面Ｃ６で形成される三角形Ｂ２（図面には符号なし）において、アウタ面Ｃ５とアウタ面Ｃ６とが成す角度は鈍角となるように形成されている。
【００３１】
内側接着剤溜り７において、アウタパネル第一傾斜部２１ｂの上端（アウタパネル第二傾斜部２１ｃの下端）とインナパネル下端部３１との間隔Ｄ１は、アウタパネル２の立上り部２１ａとインナパネル下端部３１との対向面間の間隔Ｄ２と比較すると広くなっており、内側接着剤溜り７は上記対向面間からはみ出した接着剤５を収容することができる。外側接着剤溜り８においても、インナパネル傾斜部３２の上端（インナパネル上方延設部３３の下端）とアウタパネル本体部２２との間隔が、インナパネル下端部３１とアウタパネル本体部２２との対向面間の間隔Ｄ２と比較すると広くなっている。以下、アウタパネル２の立上り部２１ａとインナパネル下端部３１との対向面間およびインナパネル下端部３１とアウタパネル本体部２２との対向面間を間隔Ｄ２の対向面間という。
【００３２】
また、三角形Ｂ１は角度θ１が鈍角である鈍角三角形であり、インナ面Ｃ１とアウタ面Ｃ２とが成す角度、およびインナ面Ｃ１とアウタ面Ｃ３とが成す角度は鋭角となる。その結果、インナパネル下端部３１とアウタパネル第一傾斜部２１ｂのみで接着剤溜りを形成した場合と比べると、アウタパネル第二傾斜部２１ｃを備えることにより、内側接着剤溜り７は幅が狭く、上下方向に延びたものになる。これは、三角形Ｂ２も鈍角三角形となる外側接着剤溜り８についても同様である。よって、間隔Ｄ２の対向面間からはみ出した接着剤５を接着剤溜り７、８に余すことなく収容し、その接着剤５によって、両パネル間を高さ方向（上下方向）において十分にシールできる。十分にシールすることによって、両パネルにおいて接着剤５の接着面積が広がるので、両パネルの接着強度の強化を図ることができる。
【００３３】
ところで、対向面間の間隔が非常に狭い（約０．３ｍｍ未満）と、パネルのスプリング
バック等によってその間隔が開いた際に、接着剤５内に空洞が樹枝状に広がる現象が起こり易く、塗装工程における焼付乾燥時に接着剤５が固化する際に、対向面間の接着剤５に樹枝状の空洞がある状態で接着剤５が固化され、対向面間全体にわたって接着剤５が塗布された状態とはならず、空洞部分から水が浸入するおそれがある。間隔Ｄ２は非常に狭いので、間隔Ｄ２の対向面間には上述のように空洞部分が形成され、その空洞部分から水が浸入することによって、スチールより腐食電位が卑なる合金であるアルミニウム合金で形成されたアウタパネル２には異種金属同士の接触による電食が起こるおそれがある。そこで、間隔Ｄ２の対向面間の上部に形成された接着剤溜り７、８に接着剤５を溜め、両パネル間を高さ方向において十分にシールすることによって、間隔Ｄ２の対向面間に形成された上記空洞部分に水が浸入しないようにすることができ、アウタパネル２に電食が起こるのを抑制することができる。なお、シーラ６を後述のように塗布することによって、水が内側接着剤溜り７に浸入するのを防止することができるため、より一層アウタパネル２に電食が起こりにくい構造とすることができる。
【００３４】
なお、アルミニウム合金の剛性は鋼材の剛性より低いので、アウタパネル２の張り剛性を向上させるために、アウタパネル２の板厚はインナパネル３の板厚よりも厚くなるように形成されている。
【００３５】
そして、排水孔４は、車室内側に反り返った湾曲部３４の下端よりも上方に形成されている。よって、接着剤５により排水孔４が塞がれることはないため、排水孔４からスムーズに水を抜くことができる。また、外側接着剤溜り８よりも上方の湾曲部３４に排水孔４が形成されており、排水孔４から外側接着剤溜り８に溜まっている接着剤５が容易に見えないので外観的にも見映えがよい。
【００３６】
さらに、シーラ６がアウタパネル第二傾斜部２１ｃの上端部を覆うように塗布されている。具体的には、シーラ６は、アウタパネル第二傾斜部２１ｃの上端部と、インナパネル傾斜部３２およびインナパネル上方延設部３３とに跨るように塗布されている。アウタパネル第二傾斜部２１ｃの車室内側表面とインナパネル上方延設部３３の車室内側表面とは同一平面上にあり、両表面の間に段差がないので、シーラ６を平坦な形状に塗布することができ、シーラ６の見映えを良くすることができる。
【００３７】
ドアパネル１は、アウタパネル２とインナパネル３を用いて以下のように形成されている。あらかじめアウタパネル２の周縁に沿ってその内側に接着剤５を塗布し、次いで、アウタパネル２にインナパネル３を重ねてセットした後、インナパネル下端部３１を覆うようにヘミング加工用型にてアウタパネル２の下端部を車室内側に折り曲げて、インナパネル下端部３１に折り重ねている。ここで、接着剤５の塗布量は、塗布ムラにかかわらず、アウタパネル２とインナパネル３との対向面を金属同士が接触しないように確実に覆うことができる程度の量である。これによって、接着剤５はアウタパネル２とインナパネル３との対向面間で押し広げられて、その間隙に充填された状態になる。そうして、インナパネル下端部３１とアウタパネルの立上り部２１ａとの対向面間からはみ出した接着剤５は、折返し部２１とインナパネル３との間に形成された内側接着剤溜り７に入り、また、アウタパネル本体部２２とインナパネル下端部３１との対向面間からはみ出した接着剤５は、アウタパネル本体部２２とインナパネル３との間に形成された外側接着剤溜り８に入る。その後、ドアパネル１に、脱脂、水洗、化成処理等の前処理が施され、次いで、下塗り塗装としての電着塗装が施される。電着塗装塗膜の焼付乾燥時の熱により接着剤５は焼付硬化されることによって、接着力が発現される。なお、アウタパネル第一傾斜部２１ｂとアウタパネル第二傾斜部２１ｃとはヘミング加工する前、具体的にはアウタパネル２のプレス成形時に設けておくと良い。
【００３８】
また、接着剤５には、球体状のガラスビーズを混入させている。ガラスビーズを混入さ
せた接着剤５を両パネルの対向面間に施して、ヘミング加工時にガラスビーズを両パネルに食い込ませる。そうすることにより、両パネルがずれないように機械的に固定されているので、塗装工程において両パネルが加熱されたときに、熱膨張率の異なるアウタパネル２とインナパネル３との対向面間において、接着剤５が固化して接着力を発現する前に剪断方向の力によるずれが生じるのを防止することができる。
【００３９】
ガラスビーズは、ヘミング加工時にガラスビーズが破壊されることなく両パネルに食い込むことができるよう十分な硬さを有するのが好ましい。また、ガラスビーズは、両パネルに食い込むようにするため、インナパネル下端部３１とアウタパネル本体部２２との対向面間の間隔Ｄ２よりも大きな粒径を有し、かつ、食い込ませたガラスビーズに起因する隆起が両パネルの表面上に生じない程度に小さな粒径を有するのが好ましく、具体的には粒径が０．２５ｍｍ程度のものが好適である。また、ガラスビーズによって対向面全体で両パネルがずれないように機械的に固定するためには、両パネルの対向面間に相当量のガラスビーズが介在すること、すなわち、接着剤全体に対して相当量のガラスビーズを含有するのが好ましく、具体的には、ガラスビーズの含有量が接着剤全体に対して５重量％程度とするのが好適である。
【００４０】
また、本実施形態では、ガラスビーズを接着剤５に混入しているが、ガラスビーズに代えて、熱的に安定であり、かつ、両パネルを構成する材料の降伏強度より高い圧縮強度を有するビーズを接着剤５に混入してもよい。例えば、ガラスビーズに代えて、セラミック等の硬質無機材料、または硬質ステンレス鋼等の硬質金属材料によるビーズを接着剤５に混入してもよい。
【００４１】
図３は、図１のサイドドア下端部であるＡ部の参考形態（本発明の実施形態ではない。以下、同じ。）を示した拡大図である。先に説明した図２の実施形態と同様の符号を付す構成については同一または相当部を示すものとし、一部を除き説明を省略する。以下、図２に示された実施形態と異なる点を説明する。
【００４２】
図２に示された実施形態と異なる点は、インナパネル上方延設部３３は、インナパネル傾斜部３２からアウタパネル本体部２２より離反する方向に傾斜して延びており、インナパネル上方延設部３３のアウタパネル本体部２２に対する傾斜角度、すなわちインナ面Ｃ４とアウタ面Ｃ５とがなす角度θ３は、インナパネル傾斜部３２のアウタパネル本体部２２に対する傾斜、すなわちインナ面Ｃ４とアウタ面Ｃ６とがなす角度θ２より小さくなっている。また、アウタパネル第二傾斜部２１ｃはインナパネル傾斜部３２に向かって傾斜している。インナパネル上方延設部３３は、インナパネル傾斜部３２からアウタパネル本体部２２より離反する方向に傾斜して延びてはいるものの、角度θ３は角度θ２より小さくなっているので、図２に示された実施形態と同様に、インナパネル上方延設部３３を備えることにより外側接着剤溜り８の幅は狭まっている。したがって、インナパネル下端部３１とアウタパネル本体部２２との対向面間からはみ出した接着剤５は、外側接着剤溜り８において両パネル間を高さ方向において十分にシールでき、両パネルの接着強度の強化を図るとともに、アウタパネル２の電食を抑制することができる。また、外側接着剤溜り８はインナパネル下端部３１とアウタパネル本体部２２との対向面間からはみ出した接着剤５を収容するのに十分な空間を有するため、外側接着剤溜り８から接着剤５がはみ出すことはない。そして、アウタパネル第二傾斜部２１ｃをインナパネル傾斜部３２に向かって傾斜させることによって、アウタパネル第二傾斜部２１ｃとインナパネル上方延設部３３との段差を小さくし、あるいは段差を零にすることができる。よって、表面に段差を生じることなくシーラ６を塗布することが容易になり、見映えを向上させることができる。
【００４３】
なお、インナパネル上方延設部３３の下端と、アウタパネル本体部２２との距離が、インナパネル３の厚さ以上でありかつアウタパネル２の厚さ以下とするのが好ましい。そう
することによって、アウタパネル第二傾斜部２１ｃとインナパネル上方延設部３３との段差を小さくすることができるので、シーラ６を平坦な形状に塗布することが容易となる。
【００４４】
図４は、図１のサイドドア下端部であるＡ部のさらに別の参考形態に係る拡大図である。以下、図３と同様に図２に示された実施形態と異なる点を説明する。
【００４５】
図２に示された実施形態と異なる点は、インナパネル上方延設部３３は、アウタパネル本体部２２と略平行になるように設けられている。そして、アウタパネル第二傾斜部２１ｃはインナパネル傾斜部３２に向かって傾斜している。インナパネル下端部３１とアウタパネル本体部２２との対向面間からはみ出した接着剤５は、アウタパネル本体部２２と略平行であるインナパネル上方延設部３３を備えることにより外側接着剤溜り８の幅は狭まっていることによって、外側接着剤溜り８において両パネル間を高さ方向において十分にシールでき、両パネルの接着強度の強化を図るとともに、アウタパネル２の電食を抑制することができる。また、外側接着剤溜り８はインナパネル下端部３１とアウタパネル本体部２２との対向面間からはみ出した接着剤５を収容するのに十分な空間を有するため、外側接着剤溜り８から接着剤５がはみ出すことはない。そして、アウタパネル第二傾斜部２１ｃをインナパネル傾斜部３２に向かって傾斜させることによって、アウタパネル第二傾斜部２１ｃとインナパネル上方延設部３３との段差を小さくすることができるので、シーラ６を塗布することが容易になり、見映えを向上させることができる。なお、インナパネル上方延設部３３の下端と、アウタパネル本体部２２との距離が、インナパネル３の厚さ以上でありかつアウタパネル２の厚さ以下とするのが好ましい。図３と同様に、アウタパネル第二傾斜部２１ｃとインナパネル上方延設部３３との段差を小さくすることができるので、シーラ６を平坦な形状に塗布することが容易となる。
【００４６】
上記実施形態では、アウタパネル２は、アルミニウム合金材で形成されており、インナパネル３は、鋼材で形成されているが、これに限定されるものではなく、アウタパネル２は他の軽金属材であってもよく、さらには、アウタパネル２とインナパネル３とは適宜変更可能であり、インナパネル３がアウタパネル２より腐食電位が卑なる金属や合金で形成されていてもよい。ただし、アウタパネル２とインナパネル３とが異種材となるように変更する必要がある。
【００４７】
また、上記実施形態は、車両用ドアに係るものであり、サイドドアやバックドアに本発明を適用することができる。
【符号の説明】
【００４８】
２    アウタパネル
３    インナパネル
５    接着剤
６    シーラ
７    内側接着剤溜り
２１    折返し部
２１ｂ  アウタパネル第一傾斜部
２１ｃ  アウタパネル第二傾斜部
２２    アウタパネル本体部
３１    インナパネル下端部
３２    インナパネル傾斜部
３３    インナパネル上方延設部
【図１】
0005782794.tif 000002
【図２】
0005782794.tif 000003
【図３】
0005782794.tif 000004
【図４】
0005782794.tif 000005
【図５】
0005782794.tif 000006